(57)【要約】      （修正有）【課題】電線の加工処理をしなくとも銅バーに電線をねじ止めしやすいようにすること。【解決手段】複数の電線をねじ止めする銅バー９に取り付けられる端子枠１であって、銅バー９に取り付けられる螺子の座金の回転を抑制可能な隔壁１１を備えた構成とする。さらに、端子枠１は、銅バー９への係止に用いられる係止部１９を備えている。また、係止部１９を備えた弾性変形可能な腕部１２が、座金と平行に延びている。また、係止部１９は腕部１２の先端側に設けられている。この端子枠１は、銅バー９の一側面側より太矢印方向にスライドさせることにより係止部１９が銅バー９と係止することができる。また、この状態にすることにより端子枠１が銅バー９から抜け落ちにくいようにすることができる。【選択図】図３
2019192453.tif 000002
【特許請求の範囲】
【請求項１】
複数の電線をねじ止めする銅バーに取り付けられる端子枠であって、銅バーに取り付けられる螺子の座金の回転を抑制可能な隔壁を備えた端子枠。
【請求項２】
銅バーへの係止に用いられる係止部を備えた請求項１に記載の端子
【請求項３】
係止部を備えた弾性変形可能な腕部が、座金と平行に延びる請求項２に記載の端子枠。
【請求項４】
係止部を備えた弾性変形可能な腕部が、銅バーに取り付けられる螺子の長手方向と平行に延びる請求項２に記載の端子枠。
【請求項５】
表示部を設けた請求項１乃至４の何れかに記載の端子枠。
【請求項６】
電線をねじ止めする螺子を覆うカバーを備えた請求項１乃至５の何れかに記載の端子枠。
【発明の詳細な説明】
【技術分野】
【０００１】
本発明は、端子枠に関するものである。
【背景技術】
【０００２】
特許文献１に記載されているように、アース線などの電線を銅バーにねじ止めすることが知られている。従来、電線を銅バーに適切にねじ止めするために、電線に圧着端子を取り付けるなどの加工がおこなわれてきた。しかし、電線が多くなると電線を加工する作業の負担が大きくなる。
【先行技術文献】
【特許文献】
【０００３】
【特許文献１】特開２００５−１４３２２２号公報
【０００４】
そこで、電線の先端部の加工に替えて、座金組み込み螺子を使用することが検討された。しかしながら、螺子の締め付け時に座金が回転してしまう場合があることから、電線の締め付けが不完全な状態となる虞があった。
【発明の概要】
【発明が解決しようとする課題】
【０００５】
本件の発明者は、この点について鋭意検討することにより、解決を試みた。本発明の課題は、電線の加工処理をしなくとも銅バーに電線をねじ止めしやすいようにすることである。
【課題を解決するための手段】
【０００６】
上記課題を解決するため、複数の電線をねじ止めする銅バーに取り付けられる端子枠であって、銅バーに取り付けられる螺子の座金の回転を抑制可能な隔壁を備えた端子枠とする。
【０００７】
また、銅バーへの係止に用いられる係止部を備えた構成とすることが好ましい。
【０００８】
また、係止部を備えた弾性変形可能な腕部が、座金と平行に延びる構成とすることが好ましい。
【０００９】
また、係止部を備えた弾性変形可能な腕部が、銅バーに取り付けられる螺子の長手方向と平行に延びる構成とすることが好ましい。
【００１０】
また、表示部を設けた構成とすることが好ましい。
【００１１】
また、電線をねじ止めする螺子を覆うカバーを備えた構成とすることが好ましい。
【発明の効果】
【００１２】
本発明では、電線の加工処理をしなくとも銅バーに電線をねじ止めしやすいようにすることが可能となる。
【図面の簡単な説明】
【００１３】
【図１】バーホルダーを介してレールに取り付けられる銅バーに端子枠を取り付けた状態を示す斜視図である。
【図２】端子枠が取り付けられた銅バーに座金組込み螺子で電線を接続する状態を示した斜視図である。
【図３】銅バーと端子枠を分離した状態を示す斜視図である。但し太矢印は、銅バーと端子枠を組み付ける際の端子枠の移動方向を表している。
【図４】端子枠が取り付けられた銅バーを下方から見た斜視図である。
【図５】端子枠が取り付けられた銅バーの側面図である。
【図６】端子枠が取り付けられた銅バーの平面図である。
【図７】銅バーに取り付けた端子枠と、端子枠にねじ止めされるカバーとを示す斜視図である。
【図８】銅バーに取り付けた端子枠と、端子枠に係止されるカバーとを示す斜視図である。
【図９】銅バーに取り付けた端子枠とカバーが一体化している例を示す斜視図である。
【図１０】配電盤の二次送りに用いられる銅バーに端子枠が取り付けられた状態を示す斜視図である。
【図１１】腕部が螺子取付用の穴の貫通方向と平行に延びる端子枠が取り付けられた銅バーの側面図である。
【図１２】銅バーを挿入可能な挿入孔を備えた端子枠が取り付けられた銅バーの側面図である。
【図１３】螺子を用いて端子枠が取り付けられた銅バーの側面図である。
【図１４】銅バーとバーホルダーを固定する固定部材を用いて、端子枠が銅バーに取り付けられた状態を示す斜視図である。
【発明を実施するための形態】
【００１４】
以下に発明を実施するための形態を示す。図１及び図２に示されていることから理解されるように、本実施形態の端子枠１は、複数の電線７をねじ止めする銅バー９に取り付けられるものである。また、この端子枠１は、銅バー９に取り付けられる螺子３１の座金３２の回転を抑制可能な隔壁１１を備えている。このため、銅バー９に電線７をねじ止めしやすいようにすることが可能となる。
【００１５】
ここで、アース中継端子を例にして説明する。この例では、電気機器収納用箱に固定されたレール５１に対して絶縁性のバーホルダー５２を介して銅バー９を固定している。実施形態の端子枠１は、絶縁性のある樹脂で形成されており、銅バー９の一面側に複数の隔壁１１を配置できるものである。この隔壁１１は、銅バー９に設けられた螺子取付用の穴９１に隣接させるものであり、端子枠１を銅バー９に取り付けた状態においては、銅バー９の幅広面に対して直交するように延びる板状の部位である。
【００１６】
隔壁１１と隔壁１１の間には、螺子３１と座金３２を配置するスペースがある。このスペースに配置した螺子３１を締め付けて電線７を銅バー９に固定する際、螺子３１の頭部に押されるように移動する座金３２は、螺子３１が回転するとともに回転しようとするが、非円形状に形成された座金３２は、その一部が隔壁１１に引っ掛かることで、それ以上の回転ができなくなる。隔壁１１がこのように機能することで、座金３２が電線７をしっかりと押さえつけることができる。なお、隔壁１１は、螺子３１を銅バー９に設けられた螺子取付用の穴９１に挿入する際の目安にすることもできる。
【００１７】
また、実施形態の端子枠１は、螺子３１と座金３２を配置するスペースを複数設けている。このため、一つの端子枠１で複数の螺子３１の座金３２の回転を抑制することができる。また、このスペースは一列に並ぶように設けられているため、複数の電線７を整然と並べることができる。図１に示す例では、一部の隔壁１１は、その両面で異なる座金３２の回転を抑制することができる。
【００１８】
図３に示す例の端子枠１は、銅バー９への係止に用いられる係止部１９を備えている。また、係止部１９を備えた弾性変形可能な腕部１２が、座金３２と平行に延びている。また、係止部１９は腕部１２の先端側に設けられている。この端子枠１は、銅バー９の一側面側より図３に示す太矢印方向にスライドさせることにより係止部１９が銅バー９と係止することができる。また、この状態にすることにより端子枠１が銅バー９から抜け落ちにくいようにすることができる。
【００１９】
より具体的には、図３に示したように、端子枠１の隔壁１１の下部に係止部１９が設けられており、この係止部１９と対向するように第二の係止部１９が設けられている。第二の係止部１９は、銅バー９の下方に位置する腕部１２の先端側に設けられており、これらの係止部１９が銅バー９の一側面側に位置することで、隔壁１１と腕部１２との間に設けられた空間から銅バー９が抜け落ちることを抑制している。なお、端子枠１の位置を図３に示している位置から変え、図３の破線で示した矢印方向に端子枠１を移動させることで、係止部１９が銅バー９の一側面側に位置する状態としても良い。
【００２０】
図３から図５に示された事項から理解されるように、実施形態の腕部１２には螺子３１の先端が通過可能な螺子孔１３が設けられており、電線７を銅バー９にねじ固定する際に螺子孔１３に挿入された螺子３１の存在により、端子枠１のずれを抑制し、しっかりと固定することができる。
【００２１】
図６に示すように、実施形態の端子枠１は、端部を突出させて表示部１８を設けている。この表示部１８は、隔壁１１と隔壁１１を繋ぐ板状の部位の面が視認できるように構成しており、隔壁１１と隔壁１１の間のスペースに配置される電線７の種類などを識別できるようにする際に用いられる。例えば、複数の電線７が配線される場合であっても、表示部１８にシールを張り付けることで、接続位置の確認を容易とすることができる。
【００２２】
端子枠１は、電線７をねじ止めする螺子３１を覆うカバー２１を備えた構成とすることもできる。図７に示す例では、端子枠１にねじ止めすることでカバー２１を固定している。また、図８に示すように、端子枠１に設けたカバー取付部１５にカバー２１を係止させてもよい。更には図９に示すように、端子枠１とカバー２１を一体の構造とし、開閉できる構造としてもよい。なお、カバー２１を透明部材とし、端子枠１とカバー２１の間にプレートをはさみ、表示部１８とすることもできる。このようにすれば、端子枠１の端部を突出させることなく、表示部１８を設けることができる。このため、限られたスペースでも配線の表示ができ、接続位置の確認を容易なものとすることができる。
【００２３】
図１乃至図９に示す例では、アース中継端子に端子枠１を取り付けたものであるが、例えば図１０に示すことから理解されるように、配電盤の二字送りの銅バー９に対して端子枠１を取り付けてもよい。
【００２４】
また、端子枠１を銅バー９に取り付ける構造は図３などに示されているものとは異なるものとしても良い。例えば、図１１に示すことから理解されるように、係止部１９が銅バー９の幅広面に対して係止するようにしても良い。図１１に示す例の場合、係止部１９を備えた弾性変形可能な腕部１２が、銅バー９に取り付けられる螺子３１の長手方向と平行に延びている。また、係止部１９は腕部１２の先端側に設けられている。この場合、銅バー９の幅広面に対して端子枠１を押し込むようにして端子枠１を銅バー９に取り付けても良いし、銅バー９の長手方向に沿うように端子枠１をスライドさせて取り付けても良い。
【００２５】
また、図１２に示すことから理解されるように、銅バー９を挿入可能な挿入孔７１を端子枠１に設け、銅バー９を端子枠１の挿入孔７１に挿入することで、端子枠１を銅バー９に取り付けても良い。
【００２６】
また、銅バー９に取り付けられる螺子３１などにより、端子枠１を銅バー９に取り付けても良い。図１３に示す例では、銅バー９に載せた端子枠１を、螺子３１で銅バーに固定している。図１４に示す例では、端子枠１が銅バー９とバーホルダー５２を固定する固定部材７３により、端子枠１を銅バー９に取り付けている。
【００２７】
以上、実施形態を例に挙げて本発明について説明してきたが、本発明は上記実施形態に限定されることはなく、各種の態様とすることが可能である。例えば、実施形態における座金は四角形状であるが、多角形状や楕円状など、様々な形状とすることが可能である。
【００２８】
また、腕部は、複数設ける形態でなくても良い。例えば、端子枠の幅方向全体に延びるものを一つだけ設けるようにしても良い。
【００２９】
また、３以上の隔壁を一列に平行に並べることが好ましいが、複数個並列に並んだ隔壁を複数列設けるようにしてもよい。
【符号の説明】
【００３０】
１  端子枠
７  電線
９  銅バー
１２  腕部
１１  隔壁
１８  表示部
１９  係止部
２１  カバー
３１  螺子
【図１】
2019192453.tif 000003
【図２】
2019192453.tif 000004
【図３】
2019192453.tif 000005
【図４】
2019192453.tif 000006
【図５】
2019192453.tif 000007
【図６】
2019192453.tif 000008
【図７】
2019192453.tif 000009
【図８】
2019192453.tif 000010
【図９】
2019192453.tif 000011
【図１０】
2019192453.tif 000012
【図１１】
2019192453.tif 000013
【図１２】
2019192453.tif 000014
【図１３】
2019192453.tif 000015
【図１４】
2019192453.tif 000016